(57)【要約】【課題】任意の方向から扉を押し開くことができ、避難行動の自由を拡大でき、なおかつ防火構造の基準を満たす両開き防火扉の密閉ラッチ機構を提供する。【解決手段】扉本体１は、常時は、錠装置５，６におけるラッチボルト９，１２の衝止面９ａ，１２ａをそれぞれラッチ受け凹部２０，２１の当接面２０ａ，２１ａに当接させ、また自由端４を密閉部材７に弾性的に当接させた閉鎖状態にあり、扉本体１の自由端４と建物の枠体２との間は密閉され、煙等を内外に流通させない。扉本体１の内側と外側のハンドル８，１１を外方又は内方へ押せば、ラッチボルト９，１２が錠箱１０，１３内へ後退して扉本体１が解錠され、扉本体１をいずれの方向へも押し開くことができる。扉本体１は、自動復帰し、いずれかの錠装置５，６におけるラッチボルト９，１２の衝止面９ａ，１２ａがラッチ受け凹部２０，２１の当接面２０ａ，２１ａに当接して再び閉鎖位置に保持される。【選択図】図３
2010242370.tif 000002
【特許請求の範囲】
【請求項１】
内方及び外方の両方向に開閉自在で、閉鎖位置に復帰するように回転付勢されて建物の枠体に取り付けられる両開き防火扉における扉本体の自由端側に設けられ、
前記扉本体の自由端に上下に並んで取り付けられる第１、第2の２つの錠装置と、
閉鎖位置における前記扉本体の自由端に弾性的に当接するように付勢されて建物の枠体側に取り付けられる密閉部材とを具備し、
前記第１、第2の錠装置の一方は、前記扉本体の内側に設けられるハンドルを外方へ押すことによりラッチボルトを錠箱内へ後退させて解錠する錠機構を有し、当該ラッチボルトの外向きの衝止面を扉本体の自由端における厚さ方向の中央に配置するように設けられ、
前記第１、第2の錠装置の他方は、前記扉本体の外側に設けられるハンドルを内方へ押すことによりラッチボルトを錠箱内へ後退させて解錠する錠機構を有し、当該ラッチボルトの内向きの衝止面を扉本体の自由端における厚さ方向の中央に配置するように設けられ、
前記密閉部材は、前記扉本体の自由端に摺接して扉本体の開閉動を許容する膨出部と、扉本体の閉鎖位置において前記第１、第2の錠装置のラッチボルトをそれぞれ受け入れる第１、第2のラッチ受け凹部を具備し、
前記密閉部材の第１のラッチ受け凹部は、前記一方の錠装置におけるラッチボルトの外向きの衝止面が当接する内向きの当接面を有し、
前記密閉部材の第２のラッチ受け凹部は、前記他方の錠装置におけるラッチボルトの内向きの衝止面が当接する外向きの当接面を有することを特徴とする両開き防火扉の密閉ラッチ機構。
【請求項２】
前記扉本体は、自由端の内側縁と外側縁から建物の枠体側へ突出して上下方向に延びる一対の突条と、両突条間に形成される上下方向の条溝とを自由端に具備し、
前記密閉部材の膨出部は、前記扉本体の開閉時に、前記突条に弾性的に摺接して扉本体の開閉動を許容し、扉本体の閉鎖位置において前記条溝の底面に当接することを特徴とする請求項１に記載の両開き防火扉の密閉ラッチ機構。
【請求項３】
前記密閉部材の膨出部は、横断面円弧状に形成され、前記第１、第2のラッチ受け凹部は、それぞれ前記ラッチボルトが扉本体の閉鎖位置で前記当接面に当接するまで進入するのを許容すべく膨出部の一部を内方又は外方へ切り欠いて形成されることを特徴とする請求項１に記載の両開き防火扉の密閉ラッチ機構。
【発明の詳細な説明】
【技術分野】
【０００１】
この発明は、扉本体の周囲に防火構造としての要件を充足するための気密性を有しながら、内方外方の両側に開閉できる両開き防火扉に関する。
【背景技術】
【０００２】
扉本体を防火構造のものとして建物に建て付けるには、扉本体とそれを取り付ける建物の枠体との間に、火炎や熱気、煙が通過する隙間があってはならないとされる。したがって、防火構造を実現するには、建物の枠体に、扉本体と一定範囲で重なる戸当り桟を取り付ける必要がある。この場合、扉本体は、必然的に戸当り桟のない前後方向のいずれか一方にのみ開閉可能な一方開きのものとなる。
通常使用においては、前後方向一方開きの防火構造の扉としての要件を充足しながら、災害非難の必要に応じては、扉本体を通常時とは前後逆方向に開くことを可能とする逆開き可能な防火扉装置が特許文献１に記載されている。この防火扉装置においては、建物の枠体の左右側縁部と上縁部に、それぞれ縦枠と横枠が取り付けられる。縦枠と横枠には、それぞれヒンジ金具を介して縦戸当り桟と横戸当り桟が回動自在に取り付けられる。縦戸当り桟は回動自在であり、ラッチロック機構によってロックされる。ラッチロック機構は、横戸当り桟を扉本体から退避させるように操作することによって解除され、左右の縦戸当り桟も扉体から退避する向きに回動可能となる。縦戸当り桟を退避させて扉体を前後逆方向に開くことができる。
【先行技術文献】
【特許文献】
【０００３】
【特許文献１】特開２００５−１８０１２５号公報
【発明の概要】
【発明が解決しようとする課題】
【０００４】
上記従来の防火扉装置においては、縦横の戸当り桟がヒンジにより回転して待避可能に構成され、必要に応じて戸当たり桟を待避させるための操作を行って、戸当たりが存在する方向へ扉を開くことができるようにするものである。したがって、常時両方向へ押し開きができるものではない。このため、非常事態時に誰でもが任意の方向から扉を押し開くことはできないから、避難行動の融通性に欠けるという課題がある。
したがって、この出願に係る発明は、常時、誰でもが任意の方向から扉を押し開くことができ、したがって、避難行動の自由を拡大することができ、なおかつ防火構造の基準を満たすことができる両開き防火扉の密閉ラッチ機構を提供することを目的としている。
【課題を解決するための手段】
【０００５】
以下、添付図面の符号を参照して説明するが、本発明はこれに限定されるものではない。
上記課題を解決するための、この出願に係る発明の両開き防火扉の密閉ラッチ機構３は、内方及び外方の両方向に開閉自在で、閉鎖位置に復帰するように回転付勢されて建物の枠体２に取り付けられる両開き防火扉における扉本体１の自由端４側に設けられる。密閉ラッチ機構３は、扉本体１と、扉本体１の自由端４に上下に並んで取り付けられる第１、第2の２つの錠装置５，６と、閉鎖位置における扉本体１の自由端４に弾性的に当接するように付勢されて建物の枠体２側に取り付けられる密閉部材７とを具備する。第１、第2の錠装置５，６の一方は、扉本体１の内側に設けられるハンドル８を外方へ押すことにより、ラッチボルト９を錠箱１０内へ後退させて解錠する錠機構を有する。当該ラッチボルト９は、外向きの衝止面９ａを有し、この衝止面９ａが、扉本体１の自由端４における厚さ方向の中央に配置されるように設けられる。他方の錠装置６は、扉本体１の外側に設けられるハンドル１１を内方へ押すことにより、ラッチボルト１２を錠箱１３内へ後退させて解錠する錠機構を有する。当該ラッチボルト１２は、内向きの衝止面１２ａを有し、この衝止面１２ａが扉本体１の自由端における厚さ方向の中央に配置されるように設けられる。密閉部材７は、扉本体１の自由端４に摺接して扉本体１の開閉動を許容する膨出部１９と、扉本体１の閉鎖位置において上記2つのラッチボルト９，１２を受け止める第１、第２の２つのラッチ受け凹部２０，２１を有する。第１のラッチ受け凹部２０は、第１の錠装置５の外向きの衝止面９ａが当接する内向きの当接面２０ａを有し、第２のラッチ受け凹部２１は、第２の錠装置６の内向きの衝止面１２ａが当接する外向きの当接面２１ａを有する。
【発明の効果】
【０００６】
この出願に係る発明の装置によれば、扉本体１は、常時は、第１、第2の錠装置５，６におけるラッチボルト９，１２の衝止面９ａ，１２ａをそれぞれ第１、第2の２つのラッチ受け凹部２０，２１の当接面２０ａ，２１ａに当接させ、また自由端４を密閉部材７に弾性的に当接させた閉鎖状態にある。この状態で扉本体１の自由端４と建物の枠体２との間は密閉され、煙等が内外に流通することはない。扉本体１の内側と外側にそれぞれ設けられるハンドル８，１１を外方又は内方へ押せば、ラッチボルト９，１２が錠箱１０，１３内へ後退して扉本体１が解錠され、扉本体１を内方、外方のいずれの方向へも押し開くことができる。開放された扉本体１は、閉鎖方向へ自動復帰し、いずれかの錠装置５，６におけるラッチボルト９，１２の衝止面９ａ，１２ａがラッチ受け凹部２０，２１の当接面２０ａ，２１ａに当接して再び閉鎖位置に保持される。
【図面の簡単な説明】
【０００７】
【図１】この発明に係る両開き防火扉の密閉ラッチ機構の概略的説明図である。
【図２】図１の密閉ラッチ機構の要部の正面図である。
【図３】（ａ）は図２におけるIIIａ−IIIａ断面図、（ｂ）は図２におけるIIIｂ−IIIｂ断面図である。
【図４】（ａ）は図３（ａ）の一部拡大図、（ｂ）は図３（ｂ）の一部拡大図である。
【図５】扉本体の側面図である。
【図６】密閉部材の側面図である。
【発明を実施するための形態】
【０００８】
図面を参照してこの発明の実施の形態を説明する。
図１において、建物の枠体２に取り付けられる扉本体１は、左端側を吊元として、内方（紙面手前方向）及び外方（紙面奥行き方向）の両方向に開閉自在で、閉鎖位置に復帰するように回転付勢される。密閉ラッチ機構３は、扉本体１の自由端４側に設けられる。
【０００９】
密閉ラッチ機構３は、第１、第2の２つの錠装置５，６と、密閉部材７とを具備する。錠装置５，６は、扉本体１の自由端４に上下に並んで取り付けられる。密閉部材７は、閉鎖位置における扉本体１の自由端４に弾性的に当接するように付勢されて建物の枠体２側に取り付けられる。
【００１０】
第１の錠装置５は、図２、図３（ａ）、図４（ａ）に示すように、扉本体１の内側に設けられるハンドル８を外方へ押すことにより、レバー８ａと図示しない内部機構を介して、ラッチボルト９を錠箱１０内へ後退させて解錠する錠機構を有する。ラッチボルト９は、外向きの衝止面９ａを有し、この衝止面９ａが扉本体の自由端における厚さ方向の中央に位置するように配置される。このような錠機構を有する錠装置としては、美和ロック株式会社製のプッシュプル錠を用いることができる（例えば特開２００３−７４２４５号公報）。錠装置５の詳細な構造の説明は省略する。他方の錠装置６も同様のものであり、図３（ｂ）に示すように、扉本体１の外側に設けられるハンドル１１を内方へ押すことにより、レバー１１ａを介して、ラッチボルト１２を錠箱１３内へ後退させて解錠する錠機構を有する。当該ラッチボルト１２は、図４（ｂ）に示すように、内向きの衝止面１２ａを有し、この衝止面１２ａが扉本体の自由端４における厚さ方向の中央に配置されるように設けられる。
【００１１】
扉本体１の自由端４には、内側縁と外側縁から建物の枠体側２へ突出して上下方向に延びる一対の突条１４と、両突条１４，１４間に形成される上下方向の条溝１５が設けられる。
【００１２】
密閉部材７は、閉鎖位置にある扉本体１の自由端４に沿い、これに対向して、建物の枠体２に上下方向に延びるように設けられる。密閉部材７は、枠体２側へ水平に延出する複数のプッシュバー１６を有する。プッシュバー１６は、枠体２に設けられたガイド部材１７に軸線方向移動自在に支持される。プッシュバー１６の外周には、密閉部材７とガイド部材１７との間に位置して、密閉部材７を扉本体１の自由端４へ圧接させるように付勢するばね１８が嵌め込まれている。図３，４，６に示すように、密閉部材７は、膨出部１９と第１、第２の２つのラッチ受け凹部２０，２１とを有する。膨出部１９は、扉本体１の閉鎖時に自由端４に圧接され、開閉動作時には自由端４に摺接して動作を許容する。第１、第２の２つのラッチ受け凹部２０，２１は、扉本体１の閉鎖位置において2つのラッチボルト９，１２を受け止める。
【００１３】
密閉部材７の膨出部１９は、横断面円弧状で、扉本体１の突条１４に弾性的に摺接して扉本体１の開閉動を許容し、扉本体１の閉鎖位置においては、条溝１５の底面に当接して、扉本体１と枠体２との間を密閉する。
【００１４】
図４（ａ）、（ｂ）、図６に示すように、第１のラッチ受け凹部２０は、第１の錠装置５の外向きの衝止面９ａが当接する内向きの当接面２０ａを有し、第２のラッチ受け凹部２１は、第２の錠装置６の内向きの衝止面１２ａが当接する外向きの当接面２１ａを有する。ラッチ受け凹部２０，２１は、ラッチボルト９，１２が扉本体１の閉鎖位置で当接面２０ａ，２１ａに当接するまで進入するのを許容するように、膨出部１９の一部を内方又は外方へ切り欠いて形成される。
【００１５】
なお、図示しないが、扉本体１の吊り元側の端、及び上下端と建物の枠体２との間も適宜の密閉措置が講じられている。
【００１６】
図に示す扉本体１の閉鎖状態において、錠装置５，６のラッチボルト９，１２の衝止面９ａ，１２ａが密閉部材７の２０ａ，２１ａに当接しており、自由端４と建物の枠体２との間は密閉部材７により密閉されている。したがって、ここから煙等が内外に流通することはない。
【００１７】
いま、扉本体１の内側から、第１の錠装置５のハンドル８を押すと、駆動レバー８ａが回動して錠機構を駆動し、ラッチボルト９を錠箱１０内へ後退させ、ラッチ受け凹部２０との係合が外れるから、扉本体１は、密閉部材７を押し込みながら、外方向へ押し開くことができる。扉本体１を押し開いて放置すると、図示しないクローザが働いて扉本体１は閉鎖方向へ回動復帰する。この際、復元したラッチボルト９は、斜面９ｂを密閉部材７に摺接させつつ、錠箱１０内へ押し込まれ、膨出部１９の頂点を越えると、ラッチ受け凹部２０内へ再び突出する。これとほぼ同時に、図４（ｂ）に示すように、第２の錠装置５のラッチボルト１２の衝止面１２ａが、ラッチ受け凹部２１の当接面２１ａに当接して、扉本体１は閉鎖位置に保持される。
【００１８】
これに対して、扉本体１の外側から、第２の錠装置６のハンドル１１を押すと、ラッチボルト１２とラッチ受け凹部２１との係合が外れるから、扉本体１は、密閉部材７を押し込みながら、内方向へ押し開くことができる。扉本体１を押し開いて放置すると、扉本体１は閉鎖方向へ回動復帰する。この際、ラッチボルト１２は、斜面１２ｂを密閉部材７に摺接させつつ、錠箱１０内へ押し込まれ、膨出部１９の頂点を越えると、ばね力でラッチ受け凹部２１内へ再び突出する。これとほぼ同時に、図４（ａ）に示すように、第１の錠装置５のラッチボルト９の衝止面９ａが、ラッチ受け凹部２０の当接面２０ａに当接して、扉本体１は閉鎖位置に保持される。
【００１９】
したがって、いずれの方向へ扉本体１を押し開いても、扉本体１は自動的に閉じて、常に閉鎖位置で停止して保持される。
【符号の説明】
【００２０】
１    扉本体
２    建物の枠体
３    密閉ラッチ機構
４    自由端
５    第１の錠装置
６    第２の錠装置
７    密閉部材
８    ハンドル
８ａ  レバー
９    ラッチボルト
９ａ  衝止面
９ｂ  斜面
１０  錠箱
１１  ハンドル
１２  ラッチボルト
１２ａ  衝止面
１２ｂ  斜面
１３  錠箱
１４  突条
１５  条溝
１６  プッシュバー
１７  ガイド部材
１８  ばね
１９  膨出部
２０  第１のラッチ受け凹部
２０ａ  当接面
２１  第２のラッチ受け凹部
２１ａ  当接面
【図１】
2010242370.tif 000003
【図２】
2010242370.tif 000004
【図３】
2010242370.tif 000005
【図４】
2010242370.tif 000006
【図５】
2010242370.tif 000007
【図６】
2010242370.tif 000008